(57)【特許請求の範囲】
【請求項１】
音響信号を変換して出力する外部スピーカーに対して所定の位置関係で配置可能な筐体と、
前記筐体に配置され、当該筐体が前記外部スピーカーに対して前記所定の位置関係で配置されたときに、前記音響信号を前記外部スピーカーに出力可能な音響出力手段と、
前記筐体が前記外部スピーカーの音響出力領域に位置するか否かを判定する筐体位置判定手段と、を備え、
前記筐体は、第１筐体と、前記第１筐体に対して開閉可能に連結される第２筐体とを備えるとともに、前記第１筐体及び第２筐体の一方は、開状態及び閉状態の何れでも前記所定の位置関係で配置可能に構成され、
前記音響出力手段は、前記筐体が前記所定の位置関係で配置され、前記筐体位置判定手段により前記筐体が前記外部スピーカーの音響出力領域に位置すると判定される場合に、前記外部スピーカーに出力する前記音響信号を変更する音響信号変更手段を有し、
前記筺体位置判定手段は、前記第１筐体と前記第２筐体とが閉状態にある場合に、前記筐体が前記外部スピーカーの音響出力領域に位置しないと判定する
ことを特徴とする電子機器。
【請求項２】
前記音響信号変更手段は、前記外部スピーカーから出力される前記音響の音量又は音圧が増大される、或いは前記音響の周波数特性を変更するように前記音響信号を変更する
ことを特徴とする請求項１記載の電子機器。
【請求項３】
前記音響信号変更手段は、前記外部スピーカーから出力される前記音響のうちのすくなくとも高音領域における音響の前記音量又は前記音圧が増大されるように前記音響信号を変更する
ことを特徴とする請求項２記載の電子機器。
【請求項４】
前記筐体に設けられて、前記音響出力手段から出力される音響信号に基づく音響を出力可能な内部スピーカーを備え、
前記音響信号変更手段は、前記筐体が前記外部スピーカーの前記音響出力領域に位置する場合に、前記内部スピーカーへ出力される前記音響信号を変更する
ことを特徴とする請求項１〜３のいずれか一に記載の電子機器。
【請求項５】
前記音響信号変更手段は、前記内部スピーカーから出力される音響の音量又は音圧が増大されるように前記内部スピーカーへ出力される前記音響信号を変更する
ことを特徴とする請求項４に記載の電子機器。
【請求項６】
音響信号を変換して出力する外部スピーカーに対して所定の位置関係で配置可能な筐体と、
前記筐体に配置され、当該筐体が前記外部スピーカーに対して前記所定の位置関係で配置されたときに、前記音響信号を前記外部スピーカーに出力可能な音響出力手段と、
前記筐体に配置されて、前記音響出力手段から出力される前記音響信号に基づく音響を出力可能な内部スピーカーと、
前記筐体が前記外部スピーカーの音響出力領域に位置するか否かを判定する筐体位置判定手段と、を備え、
前記筐体は、第１筐体と、前記第１筐体に対して開閉可能に連結される第２筐体とを備えるとともに、前記第１筐体及び第２筐体の一方は、開状態及び閉状態の何れでも前記所定の位置関係で配置可能に構成され、
前記音響出力手段は、前記筐体が前記所定の位置関係で配置され、前記筐体位置判定手段により前記筐体が前記外部スピーカーの音響出力領域に位置すると判定される場合に、前記内部スピーカーへ出力する前記音響信号を変更する音響信号変更手段を有し、
前記筺体位置判定手段は、前記第１筐体と前記第２筐体とが閉状態にある場合に、前記筐体が前記外部スピーカーの音響出力領域に位置しないと判定する
ことを特徴とする電子機器。
【請求項７】
前記音響信号変更手段は、前記内部スピーカーから出力される前記音響の音量又は音圧が増大される、或いは前記音響の周波数特性を変更するように前記音響信号を変更する
ことを特徴とする請求項６記載の電子機器。
【請求項８】
前記音響信号変更手段は、前記内部スピーカーから出力される前記音響のうちの少なくとも高音領域における音響の前記音量又は前記音圧が増大されるように前記音響信号を変更する
ことを特徴とする請求項７記載の電子機器。
【請求項９】
前記電子機器は携帯端末装置であり、
前記外部スピーカーは、前記携帯端末装置が載置されるクレードル装置に設けられ、
前記所定の位置関係は、前記携帯端末装置がクレードル装置に載置されたときの位置関係であり、
前記筐体は、前記クレードル装置に載置されたときに前記クレードル装置に設けられた外部端子に接続されて電力供給を受ける充電端子を有する
ことを特徴とする請求項１〜８のいずれか一に記載の電子機器。
【請求項１０】
電子機器を載置可能な載置部と、
前記電子機器から出力される音響信号に基づく音響を出力するスピーカーと、
前記電子機器から出力された前記音響信号を前記スピーカーに出力する音響出力手段と、
前記電子機器が前記スピーカーの音響出力領域に位置する状態で前記載置部に載置されているか否かを判定する載置状態判定手段と、を備え、
前記音響出力手段は、前記載置状態判定手段により、前記電子機器が前記スピーカーの音響出力領域に位置した状態で前記載置部に載置されたと判定される場合に、前記スピーカーへ出力する前記音響信号を変更する音響信号変更手段を有し、
前記載置状態判定手段は、前記電子機器が、第１筐体、当該第１筐体と開閉可能に連結された第２筐体を有して、閉状態である場合には、前記電子機器が前記スピーカーの音響出力領域に位置する状態で前記載置部に載置されていないと判定する
ことを特徴とするクレードル装置。
【請求項１１】
前記音響信号変更手段は、前記スピーカーから出力される音響の音量又は音圧が増大される、或いは前記音響の周波数特性を変更するように前記音響信号を変更する
ことを特徴とする請求項１０記載のクレードル装置。
【請求項１２】
前記音響信号変更手段は、前記スピーカーから出力される前記音響のうちの少なくとも高音領域における音響の前記音量又は前記音圧が増大されるように前記音響信号を変更する
ことを特徴とする請求項１１記載のクレードル装置。
【請求項１３】
外部スピーカーを備えて入力部より入力された音響信号に基づく音響を前記外部スピーカーから出力するクレードル装置と、
前記クレードル装置に載置可能な筐体と、前記入力部と接続可能な出力部を介して前記クレードル装置に音響信号を出力する音響出力手段と、を有する電子機器と、
前記クレードル装置及び前記電子機器の少なくとも一方に設けられ、前記筐体が前記外部スピーカーの音響出力領域に位置する状態で前記クレードル装置に載置されている場合、前記外部スピーカーへ出力される前記音響信号を変更する音響信号変更手段と、
前記クレードル装置及び前記電子機器の少なくとも一方に設けられ、前記電子機器が前記外部スピーカーの音響出力領域に位置する状態で前記クレードル装置に載置されているか否かを判定する載置状態判定手段と、を備え、
前記筐体は、第１筐体と、前記第１筐体に対して開閉可能に連結される第２筐体とを備えるとともに、開状態及び閉状態の何れでも前記クレードル装置に載置可能に構成され、
前記クレードル装置及び前記電子機器の少なくとも一方に、前記第１筐体と前記第２筐体との開閉状態を検出する開閉検出手段が設けられ、
前記載置状態判定手段は、前記開閉検出手段により前記第１筐体と前記第２筐体とが閉状態にあると検出された場合に、前記電子機器が前記外部スピーカーの音響出力領域に位置する状態で前記クレードル装置に載置されていないと判定する
ことを特徴とする音響装置。
【請求項１４】
前記音響信号変更手段は、前記外部スピーカーから出力される前記音響の音量又は音圧が増大される、或いは前記音響の周波数特性を変更するように前記音響信号を変更する
ことを特徴とする請求項１３記載の音響装置。
【請求項１５】
前記音響信号変更手段は、前記外部スピーカーから出力される前記音響のうちのすくなくとも高音領域における音響の前記音量又は前記音圧が増大されるように前記音響信号を変更する
ことを特徴とする請求項１４記載の音響装置。
【請求項１６】
前記筐体に設けられて、前記音響出力手段から出力される音響信号に基づく音響を出力可能な内部スピーカーを備え、
前記音響信号変更手段は、前記筐体が前記外部スピーカーの前記音響出力領域に位置する場合に、前記内部スピーカーへ出力される前記音響信号を変更する
ことを特徴とする請求項１３〜１５のいずれか一に記載の音響装置。
【請求項１７】
クレードル装置に載置された電子機器からの音響信号を前記クレードル装置に設けられたスピーカーへ出力し、当該音響信号に基づく音響を前記スピーカーから出力させる音響装置の制御方法において、
前記クレードル装置及び前記電子機器の少なくとも一方において、前記電子機器が前記クレードル装置に載置されているか否かを検出し、
載置されていると検出されたことを少なくとも一つの条件として含む変更条件が満たされた場合、前記クレードル装置及び前記電子機器の少なくとも一方において、前記スピーカーへ出力される前記音響信号を変更し、
前記電子機器が第１筐体と当該第１筐体と開閉可能に連結された第２筐体とを有して、開状態及び閉状態の何れでも前記クレードル装置に載置可能に構成される場合に、前記クレードル装置及び前記電子機器の少なくとも一方において、前記電子機器の開閉状態を検出し、
前記変更条件には、前記電子機器が開状態にあると検出されたことが含まれる
ことを特徴とする音響装置の制御方法。
【請求項１８】
前記スピーカーへ出力される前記音響信号を変更する際に、前記スピーカーから出力される前記音響の音量又は音圧が増大される、或いは前記音響の周波数特性を変更するように前記音響信号を変更する
ことを特徴とする請求項１７記載の音響装置の制御方法。
【請求項１９】
前記スピーカーへ出力される前記音響信号を変更する際に、前記スピーカーから出力される前記音響のうちの少なくとも高音領域における音響の前記音量又は前記音圧が増大されるように前記音響信号を変更する
ことを特徴とする請求項１８記載の音響装置の制御方法。
【発明の詳細な説明】
【技術分野】
【０００１】
本発明は、例えば、携帯電話機等の電子機器（携帯端末装置）、該電子機器が載置されるクレードル装置、並びに、該電子機器及びクレードル装置を具備する音響装置の制御方法に関する。
【背景技術】
【０００２】
携帯電話機等の携帯端末装置をクレードル装置に載置する技術が知られている。クレードル装置としては、例えば携帯電話機を充電する機能を有したものが広く普及している。特許文献１では、クレードル装置にスピーカーを搭載し、携帯電話機の充電中に携帯電話機からの音響信号を当該スピーカーにより再生する技術が開示されている。
【特許文献１】特開２００３−３２３５１号公報
【発明の開示】
【発明が解決しようとする課題】
【０００３】
しかし、スピーカーの配置位置、携帯端末装置の大きさ、携帯端末装置の開閉状態等によっては、携帯端末装置をクレードル装置に載置したときに、携帯端末装置がクレードル装置のスピーカーを覆ってしまうことがある。この場合、スピーカーから出力された音響は、音量、音圧、周波数特性等が変化して使用者に伝達される。
【０００４】
本発明の目的は、スピーカーの音響出力領域に電子機器が配置された場合でも、配置されていない場合と略同様の音響を使用者に提供可能な電子機器、クレードル装置、音響装置及び制御方法を提供することにある。
【課題を解決するための手段】
【０００５】
本発明の第１の観点の電子機器は、音響信号を変換して出力する外部スピーカーに対して所定の位置関係で配置可能な筐体と、前記筐体に配置され、当該筐体が前記外部スピーカーに対して前記所定の位置関係で配置されたときに、前記音響信号を前記外部スピーカーに出力可能な音響出力手段と、を備え、前記音響出力手段は、前記筐体が前記所定の位置関係で配置され、前記筐体が前記外部スピーカーの音響出力領域に位置する場合、前記外部スピーカーに出力する前記音響信号を変更する音響信号変更手段を有する。
【０００６】
好適には、前記音響信号変更手段は、前記外部スピーカーから出力される前記音響の音量又は音圧が増大される、或いは前記音響の周波数特性を変更するように前記音響信号を変更する。
【０００７】
好適には、前記音響信号変更手段は、前記外部スピーカーから出力される前記音響のうちのすくなくとも高音領域における音響の前記音量又は前記音圧が増大されるように前記音響信号を変更する。
【０００８】
好適には、前記筐体内に前記筐体が前記外部スピーカーの音響出力領域に位置するか否かを判定する筐体位置判定手段を有し、前記音響変換手段は、前記筐体位置判定手段により前記筐体が前記外部スピーカーの音響出力領域に位置すると判定された場合に前記外部スピーカーに出力する前記音響信号を変更する。
【０００９】
好適には、前記筐体は、第１筐体と、前記第１筐体に対して開閉可能に連結される第２筐体とを備えるとともに、前記第１筐体及び第２筐体の一方は、開状態及び閉状態の何れでも前記所定の位置関係で配置可能に構成され、前記筐体には、前記第１筐体と前記第２筐体との開閉状態を検出する開閉検出手段が設けられ、前記筐体位置判定手段は、前記開閉検出手段により前記第１筐体と前記第２筐体とが閉状態にあると検出された場合に、前記筐体が前記外部スピーカーの音響出力領域に位置しないと判定する。
【００１０】
好適には、前記筐体位置判定手段が、前記筐体が前記外部スピーカーの音響出力領域に位置すると判定する条件には、所定の筐体配置検出手段により前記筐体が前記所定の位置関係で配置されていると検出されたことが含まれる。
【００１１】
好適には、前記筐体に設けられて、前記音響出力手段から出力される音響信号に基づく音響を出力可能な内部スピーカーを備え、前記音響信号変更手段は、前記筐体が前記外部スピーカーの前記音響出力領域に位置する場合に、前記内部スピーカーへ出力される前記音響信号を変更する。
【００１２】
好適には、前記音響信号変更手段は、前記内部スピーカーから出カされる音響の音量又は音圧が増大されるように前記内部スピーカーへ出力される前記音響信号を変更する。
【００１３】
本発明の第２の観点の電子機器は、音響信号を変換して出力する外部スピーカーに対して所定の位置関係で配置可能な筐体と、前記筐体に配置され、当該筐体が前記外部スピーカーに対して前記所定の位置関係で配置されたときに、前記音響信号を前記外部スピーカーに出力可能な音響出力手段と、前記筐体に配置されて、前記音響出力手段から出力される前記音響信号に基づく音響を出力可能な内部スピーカーと、を有し、前記音響出力手段は、前記筐体が前記所定の位置関係で配置され、前記筐体が前記外部スピーカーの音響出力領域に位置する場合、前記内部スピーカーへ出力する前記音響信号を変更する音響信号変更手段を有する。
【００１４】
好適には、前記音響信号変更手段は、前記内部スピーカーから出力される前記音響の音量又は音圧が増大される、或いは前記音響の周波数特性を変更するように前記音響信号を変更する。
【００１５】
好適には、前記音響信号変更手段は、前記内部スピーカーから出力される前記音響のうちの少なくとも高音領域における音響の前記音量又は前記音圧が増大されるように前記音響信号を変更する。
【００１６】
好適には、前記電子機器は携帯端末装置であり、前記外部スピーカーは、前記携帯端末装置が載置されるクレードル装置に設けられ、前記所定の位置関係は、前記携帯端末装置がクレードル装置に載置されたときの位置関係であり、前記筐体は、前記クレードル装置に載置されたときに前記クレードル装置に設けられた外部端子に接続されて電力供給を受ける充電端子を有する。
【００１７】
本発明の第３の観点のクレードル装置は、電子機器を載置可能な載置部と、前記電子機器から出力される音響信号に基づく音響を出力するスピーカーと、前記電子機器から出力された前記音響信号を前記スピーカーに出力する音響出力手段と、を備え、前記音響出力手段は、前記電子機器が前記スピーカーの音響出力領域に位置した状態で前記載置部に載置された場合に、前記スピーカーへ出力する前記音響信号を変更する音響信号変更手段を有する。
【００１８】
好適には、前記音響信号変更手段は、前記スピーカーから出力される音響の音量又は音圧が増大される、或いは前記音響の周波数特性を変更するように前記音響信号を変更する。
【００１９】
好適には、前記音響信号変更手段は、前記スピーカーから出力される前記音響のうちの少なくとも高音領域における音響の前記音量又は前記音圧が増大されるように前記音響信号を変更する。
【００２０】
好適には、前記電子機器が前記スピーカーの音響出力領域に位置する状態で前記載置部に載置されているか否かを判定する載置状態判定手段を備え、前記音響出力手段は、前記載置状態判定手段により、前記電子機器が前記スピーカーの音響出力領域に位置する状態で前記載置部に載置されていると判定された場合に、前記スピーカーへ出力する音響信号を変更する。
【００２１】
好適には、前記載置状態判定手段は、前記電子機器が、第１筐体、当該第１筐体と開閉可能に連結された第２筐体、及び前記開閉状態を検出する開閉検出手段を有する場合に、前記開閉検出手段の検出結果を取得可能であり、前記開閉検出手段により前記電子機器の閉状態が検出された場合には、前記電子機器が前記スピーカーの音響出力領域に位置する状態で前記クレードル装置に載置されていないと判定する。
【００２２】
本発明の第４の観点の音響装置は、外部スピーカーを備えて入力部より入力された音響信号に基づく音響を前記外部スピーカーから出力するクレードル装置と、前記クレードル装置に載置可能な筐体と、前記入力部と接続可能な出力部を介して前記クレードル装置に音響信号を出力する音響出力手段と、を有する電子機器と、前記筐体が前記外部スピーカーの音響出力領域に位置する状態で前記クレードル装置に載置されている場合、前記外部スピーカーへ出力される前記音響信号を変更する音響信号変更手段と、を有する。
【００２３】
好適には、前記音響信号変更手段は、前記外部スピーカーから出力される前記音響の音量又は音圧が増大される、或いは前記音響の周波数特性を変更するように前記音響信号を変更する。
【００２４】
好適には、前記音響信号変更手段は、前記外部スピーカーから出力される前記音響のうちのすくなくとも高音領域における音響の前記音量又は前記音圧が増大されるように前記音響信号を変更する。
【００２５】
好適には、前記電子機器が前記スピーカーの音響出力領域に位置する状態で前記クレードル装置に載置されているか否かを判定する載置状態判定手段を備え、前記筐体は、第１筐体と、前記第１筐体に対して開閉可能に連結される第２筐体とを備えるとともに、開状態及び閉状態の何れでも前記クレードル装置に載置可能に構成され、前記第１筐体と前記第２筐体との開閉状態を検出する開閉検出手段が設けられ、前記載置状態判定手段は、前記開閉検出手段により前記第１筐体と前記第２筐体とが閉状態にあると検出された場合に、前記電子機器が前記スピーカーの音響出力領域に位置する状態で前記クレードル装置に載置されていないと判定する。
【００２６】
好適には、前記筐体に設けられて、前記音響出力手段から出力される音響信号に基づく音響を出力可能な内部スピーカーを備え、前記音響信号変更手段は、前記筐体が前記外部スピーカーの前記音響出力領域に位置する場合に、前記内部スピーカーへ出力される前記音響信号を変更する。
【００２７】
本発明の第５の観点の制御方法は、クレードル装置に載置された電子機器からの音響信号を前記クレードル装置に設けられたスピーカーへ出力し、当該音響信号に基づく音響を前記スピーカーから出力させる音響装置の制御方法において、前記電子機器が前記クレードル装置に載置されているか否かを検出し、載置されていると検出されたことを少なくとも一つの条件として含む変更条件が満たされた場合、前記スピーカーへ出力される前記音響信号を変更する。
【００２８】
好適には、前記スピーカーへ出力される前記音響信号を変更する際に、前記スピーカーから出力される前記音響の音量又は音圧が増大される、或いは前記音響の周波数特性を変更するように前記音響信号を変更する。
【００２９】
好適には、前記スピーカーへ出力される前記音響信号を変更する際に、前記スピーカーから出力される前記音響のうちの少なくとも高音領域における音響の前記音量又は前記音圧が増大されるように前記音響信号を変更する。
【００３０】
好適には、前記電子機器が第１筐体と当該第１筐体と開閉可能に連結された第２筐体とを有して、開状態及び閉状態の何れでも前記クレードル装置に載置可能に構成される場合に、前記電子機器の開閉状態を検出し、前記変更条件には、前記電子機器が開状態にあると検出されたことが含まれる。
【発明の効果】
【００３１】
本発明によれば、スピーカーの音響出力領域に電子機器が配置された場合でも、配置されていない場合と略同様の音響を使用者に提供できる。
【発明を実施するための最良の形態】
【００３２】
（第１の実施形態）
図１は、本発明の第１の実施形態に係る携帯電話機２及びクレードル装置３を示す一部に透視図を含む平面図であり、図１（ａ）はクレードル装置３を示し、図１（ｂ）は閉状態の携帯電話機２を示し、図１（ｃ）は開状態の携帯電話機２を示している。
【００３３】
図２は、携帯電話機２をクレードル装置３に載置した状態を示す一部に透視図を含む平面図であり、図２（ａ）は携帯電話機２を閉状態にした場合を、図２（ｂ）は携帯電話機２を開状態にした場合を示している。
【００３４】
図３は、携帯電話機２をクレードル装置３に載置した状態を示す一部に透視図を含む側面図であり、図３（ａ）は携帯電話機２を閉状態にした場合を、図３（ｂ）は携帯電話機２を開状態にした場合を示している。
【００３５】
なお、携帯電話機２及びクレードル装置３の組み合わせにより、音響装置１が構成されている。
【００３６】
携帯電話機２は、いわゆる折り畳み式の携帯電話機として構成されており、受話筐体（第２筐体）５と、送話筐体（第１筐体）６とを備えている。受話筐体５及び送話筐体６は、それぞれの端部が連結部７により連結されており、携帯電話機２は、連結部７を回動の中心として開閉可能である。受話筐体５及び送話筐体６は、それぞれ概ね薄型直方体に形成されており、閉状態では互いに重ね合わされ、一方の筐体側から他方の筐体側を見たときに互いの輪郭が略一致するようになっている。
【００３７】
受話筐体５は、例えば樹脂により略薄型直方体状に形成されている。受話筐体５には、閉状態で送話筐体６に対向する対向面に画像を表示する表示部９が設けられている。表示部９は、例えば液晶表示ディスプレイによって構成されている。なお、受話筐体５には、この他、通話用のスピーカー３９（図４参照）が設けられ、当該スピーカーの放音口１０が対向面に設けられている。
【００３８】
送話筐体６は、例えば樹脂により略薄型直方体状に形成されている。送話筐体６には、ユーザの操作を受け付ける操作部１２、電波の送受信を行うメインアンテナ１３及びサブアンテナ１４、報知音等を出力するスピーカー１５、通話用のマイクロフォン３５（図４参照）、マイクロフォン３５の導音孔１６、携帯電話機２の開閉を検出する開閉検出部２６が設けられている。
【００３９】
メインアンテナ１３は、送話筐体６の連結部７とは反対側の端部に内蔵されている。サブアンテナ１４は、送話筐体６の側面側であって、送話筐体６中央とメインアンテナ１３との間の位置において、送話筐体６に内蔵されている。メインアンテナ１３及びサブアンテナ１４はダイバーシティアンテナとして構成されている。例えば、メインアンテナ１３は、送受話やメールの送受信等に用いられ、常時利用される。サブアンテナ１４は、音楽をダウンロードするときなど、音声通話時以外のデータ通信が行われるときにメインアンテナ１３と併せて利用される。
【００４０】
スピーカー１５は、送話筐体６の連結部７側の端部に内蔵され、送話筐体６の側方側に２つ設けられている。送話筐体６の連結部７側の端部には、受話筐体５と対向する面とは反対側の面（クレードル装置に対向する面）に開口し、スピーカー１５の出力した音響を放音する放音孔１７が設けられている。なお、放音孔１７を送話筐体６の側面に開口するように設けてもよい。スピーカー１５は、例えば、着信や誤操作等を知らせる報知音の出力、ハンズフリー機能を利用して通話する際における通話相手の音声の出力、音楽や映画再生における音響出力に用いられるものである。
【００４１】
開閉検出部２６は、適宜なスイッチあるいはセンサを含んで構成されている。例えば、受話筐体５と送話筐体６との角度が所定以下になったときに押圧されてオン信号を出力する押圧スイッチを用いてもよい。反射面と、当該反射面に向けて特定の周波数の光を出射するとともに反射した特定の周波数の光を受光し、受光量が閾値を超えたときにオン信号を出力する光センサとを、開閉に伴って互いの相対距離が変化するように配置してもよい。オン信号又はオフ信号のようにデジタル式のものではなく、受光量に応じた電圧の信号を出力する光センサを用いてもよい。なお、一般に、開閉可能に構成された携帯電話機には、開閉状態に応じて表示部等の動作状態を切り換えるために開閉検出部が設けられており、開閉検出部２６には、当該開閉検出部を用いればよい。
【００４２】
クレードル装置３は、筐体１８と、クレードル装置３に電力を供給するためのコード１９と、クレードル装置３と携帯電話機２とを電気的に接続するための充電端子２０、２１及び音響信号端子（入力部）２２と、携帯電話機２から入力された音響信号に基づく音響を出力するスピーカー２３と、携帯電話機２の載置状態を検出する載置（配置）状態検出部２７と、載置状態検出部２７からの信号を携帯電話機２に出力するための検出端子２８とを備えている。
【００４３】
筐体１８は、例えば、机上などに載置される下部カバー１８ａと、下部カバー１８ａに被せられる上部カバー１８ｂとを備えている。下部カバー１８ａ及び上部カバー１８ｂは例えば樹脂により形成されている。上部カバー１８ｂは、筐体１８が載置される面に対して傾斜するように下部カバー１８ａに被せられており、筐体１８は、全体として、載置される面（机面等）に対して傾斜する傾斜面１８ｃを有する台形状に形成されている。
【００４４】
筐体１８の上面には、携帯電話機２を載置するための凹部（載置部）２５が形成されている。凹部２５は、傾斜面１８ｃの下方側に設けられている。凹部２５は、携帯電話機２の送話筐体６が嵌合する形状に形成されるとともに、送話筐体６の背面が当接する底部が、クレードル装置３が載置される面（机面等）に対して傾斜するように形成されている。携帯電話機２は、連結部７側を傾斜面１８ｃの上方側に向けて、送話筐体６が凹部２５に嵌合挿入されることにより、クレードル装置３に載置されている。
【００４５】
なお、送話筐体６のクレードル装置３の筐体１８に対する配置位置は凹部２５に規定され、スピーカー２３の配置位置はクレードル装置３の筐体１８に対して固定されている。すなわち、送話筐体６を凹部２５に載置したときの送話筐体６のスピーカー２３に対する位置関係は一定であり、当該位置関係は、本発明の所定の位置関係の一例である。
【００４６】
図３（ａ）及び図３（ｂ）に示すように、凹部２５の深さは送話筐体６の厚さと略同等又はそれ以下である。従って、携帯電話機２を凹部２５内に載置した状態で、携帯電話機２を開閉しても、傾斜面１８ｃの凹部２５周縁は受話筐体５に当接せず、携帯電話機２の開閉は妨げられない。
【００４７】
コード１９は、筐体１８から延出しており、その先端には、不図示の電源プラグが設けられている。電源プラグが、商用周波数の電力を供給するための電源レセプタクルに挿入されることにより、コード１９を介してクレードル装置３に電力が供給される。
【００４８】
充電端子２０、２１は、凹部２５の底部から突出するように設けられており、携帯電話機２を凹部２５に嵌合挿入すると、携帯電話機２の送話筐体６に設けられた充電端子３７（図４参照）に当接して接続される。
【００４９】
音響信号端子２２は、凹部２５の底部から突出するように設けられている。また、充電端子２０、２１に隣接して設けられている。音響信号端子２２は、携帯電話機２を凹部２５に嵌合挿入すると、携帯電話機２の送話筐体６に設けられた音響信号端子（出力部）３６（図４参照）に当接して接続される。
【００５０】
スピーカー２３は、凹部２５よりも傾斜面１８ｃの上方側に設けられている。スピーカー２３は、放音面が傾斜面１８ｃの裏面に対向するように（上方を向くように）配置されており、傾斜面１８ｃには、スピーカー２３により出力された音響を放音するための放音孔２４が設けられている。スピーカー２３は、例えば、低音用のスピーカー、いわゆるウーファによって構成されている。
【００５１】
なお、携帯電話機２は、連結部７をスピーカー２３に向けて凹部２５に載置され、連結部７とは反対側の端部側にメインアンテナ１３及びサブアンテナ１４が設けられているから、メインアンテナ１３及びサブアンテナ１４は、携帯電話機２の筐体のなかで、スピーカー２３に離れた位置に配置されていることになる。
【００５２】
また、スピーカー２３は、傾斜面１８ｃの上方側に設けられ、メインアンテナ１３及びサブアンテナ１４は、傾斜面１８ｃの下方側に設けられているから、メインアンテナ１３及びサブアンテナ１４はスピーカー２３よりも鉛直方向において若干下方の位置（異なる位置）に配置されている。
【００５３】
なお、メインアンテナ１３及びサブアンテナ１４のうち、いずれか一方のみをスピーカー２３から離れた位置やスピーカー２３の配置位置と鉛直方向において異なる位置に配置してもよい。
【００５４】
載置状態検出部２７は凹部２５に設けられ、適宜なスイッチあるいはセンサを含んで構成されている。例えば、携帯電話機２が凹部２５に載置されると携帯電話機２の自重によって押圧されてオン信号を出力する押圧スイッチを含んで構成されてもよい。特定の周波数の光を出射するとともに、携帯電話機２により反射した特定の周波数の光を受光し、受光量が閾値を超えたときにオン信号を出力する光センサを用いてもよい。
【００５５】
検出端子２８は、凹部２５の底部から突出するように設けられている。例えば、充電端子２０、２１に隣接して設けられている。検出端子２８は、携帯電話機２を凹部２５に嵌合挿入すると、携帯電話機２の送話筐体６に設けられた検出端子４０（図４参照）に当接して接続される。
【００５６】
図４は、携帯電話機２及びクレードル装置３の信号処理系の構成を示すブロック図である。
【００５７】
携帯電話機２は、各種電子素子の動作を制御する制御部３１と、無線通信を行うための通信処理部（通信手段）３２と、音響出力に係る処理を行う音響処理部（音響出力手段）３３と、充電回路３４とを備えている。なお、携帯電話機２は、この他にも、制御部３１からの映像データを映像信号に変換して表示部９に出力する画像処理部等の種々の手段を備えるが図示は省略する。
【００５８】
制御部３１は、例えばＣＰＵ、ＲＯＭ、ＲＡＭ等を含んだＩＣにより構成されており、ＣＰＵはＲＯＭに記録されたプログラムを実行し、操作部１２からの信号等に基づいて通信処理部３２、音響処理部３３等の動作を制御する。開閉検出部２６の検出信号や、載置状態検出部２７の検出信号は制御部３１に出力される。
【００５９】
通信処理部３２は、高周波回路を含んで構成され、電波を利用した無線通信を行う。具体的には、通信処理部３２は、制御部３１等で処理された音響データ、画像データ等の各種データを変調して、メインアンテナ１３を介して送信する。また、通信処理部３２は、メインアンテナ１３及びサブアンテナ１４を介して受信した信号を復調して制御部３１等に出力する。
【００６０】
音響処理部３３は、マイクロフォン３５からの音響信号、外部記憶装置に記憶された楽曲データに基づく音響信号等をミキシング、増幅するなどして、通話用のスピーカー３９、報知等に利用されるスピーカー１５及び音響信号端子３６に出力する。
【００６１】
音響信号変更部４１は、スピーカー１５及び音響信号端子３６、２２を介してスピーカー２３に出力する音響信号を変更する。例えば、音量又は音圧が増大される、或いは音響の周波数特性を変更するように音響信号を変更する。周波数特性の変更は、例えば、音響のうちのすくなくとも高音領域における音量又は音圧が増大されるように音響信号を変更する。また、音量、音圧、周波数特性の変更は、例えば１ｋＨｚ〜１０ｋＨｚの音響に対して行われる。なお、音響信号がどのように変更されるかは、製造者が設定してもよいし、使用者が設定してもよい。
【００６２】
音響信号変更部４１は、デジタル的に音響信号を変更するものでもよいし、アナログ的に音響信号を変更するものでもよい。例えば、ＤＳＰ等により構成された音源ＩＣのイコライザ設定を切り換えるイコライザ処理部を含んで構成され、イコライザ設定の切換により、周波数特性等をデジタル的に変更するものでもよい。アナログ可変フィルタを含んで構成され、アナログ可変フィルタの特性を制御することにより、周波数特性等をアナログ的に変更するものでもよい。フィルタと、フィルタをオン、オフする切換スイッチとを含んで構成され、フィルタのオン、オフにより周波数特性等をアナログ的に変更するものでもよい。
【００６３】
充電回路３４は、充電端子３７に供給された電力を適宜な電圧の電力に変換して、携帯電話機２の電源としてのバッテリ３８に供給する。また、バッテリ３８の充電状態等に応じてバッテリ３８への充電（電力供給）を開始したり、充電の中断を行う。
【００６４】
クレードル装置３は、増幅器５１、充電器（ＡＣコンバータ）５２を備えている。増幅器５１は、音響信号端子２２を介して携帯電話機２から入力された音響信号を増幅してスピーカー２３に出力する。充電器５２は、コード１９を介して供給された商用周波数の交流電流を適宜な電圧の直流電流に変換して充電端子２０、２１に出力する。なお、クレードル装置３は充電機能を有していなくてもよい。
【００６５】
図５は、制御部３１が音響信号変更部４１の動作を制御するために実行する処理の手順を示すフローチャートである。この処理は、例えば、携帯電話機２の電源投入後、所定の周期（例えば１秒）で繰り返し実行される。
【００６６】
ステップＳ１では、制御部３１は、載置状態検出部２７から出力され、検出端子２８及び検出端子４０を介して入力される検出結果に基づいて、携帯電話機２がクレードル装置３に載置されているか否かを判定する。載置されていると判定した場合は、ステップＳ２に進む。
【００６７】
ステップＳ２では、制御部３１は、開閉検出部２６からの検出結果に基づいて、携帯電話機２が開状態か否かを判定する。ここでは、開閉検出部２６により例えば受話筐体５と送話筐体６との角度が３０度以上となると開状態と判定され、反対に同角度が１５度以下となると閉状態と判定される。そして、開状態であると判定した場合はステップＳ３に進む。
【００６８】
携帯電話機２がクレードル装置３に載置され、かつ、開状態である場合には、図２（ｂ）及び図３（ｂ）等に示すように、スピーカー２３は受話筐体５により覆われており、スピーカー２３からの音響の音量、音圧、周波数特性等が変化してしまう。
【００６９】
そこで、ステップＳ３では、制御部３１は、スピーカー１５に出力する音響信号及び音響信号端子３６、２２を介してスピーカー２３に出力する音響信号のうち少なくとも一方の音量、音圧、周波数特性等を変更するように、音響信号変更部４１の動作を制御する。
【００７０】
なお、制御部３１は、ステップＳ１又はステップＳ２を実行しているときは筐体位置判定手段又は載置状態判定手段として機能する。
【００７１】
以上の実施形態によれば、携帯電話機２がクレードル装置３に載置されており、且つ開状態であると判定されると、携帯電話機２の受話筐体５によりクレードル装置３のスピーカー２３が覆われた場合のように、携帯電話機２の筐体がクレードル装置３のスピーカー２３の音響出力領域に位置する場合には、クレードル装置３のスピーカー２３に出力する音響信号を、音響信号変更部４１により、スピーカー２３が覆われていない場合に対して変更することから、スピーカー２３が受話筐体５により覆われていることによる音響の変化を防止できる。
【００７２】
例えば、スピーカー２３から出力される音響の音量又は音圧が増大されるようにすることにより、使用者に伝達される音響の音量又は音圧の低下を防止できる。周波数の高い音響ほど、指向性が高いために筐体がスピーカー２３の音響出力領域に位置するときの音量又は音圧の低下が大きいが、周波数特性を変更することにより、具体的には、スピーカー２３から出力される高音領域における音響の音量又は音圧が増大されるように周波数特性を変更することにより、音質の変化を防止できる。
【００７３】
また、音響信号変更部４１は、携帯電話機２のスピーカー１５から出力される音響の音響信号も変更するから、スピーカー２３の音響の変化を、スピーカー１５により補完することができる。
【００７４】
例えば、スピーカー１５から出カされる音響の音量又は音圧が増大されるようにスピーカー１５へ出力される音響信号を変更することにより、使用者に伝達される音響の音量又は音圧の低下を防止できる。周波数特性を変更することにより、具体的には、スピーカー２３から出力される高音領域における音響の音量又は音圧が増大されるように周波数特性を変更することにより、音質の変化を防止できる。
【００７５】
（第２の実施形態）
図６は、本発明の第２の実施形態に係る携帯電話機１０２及びクレードル装置１０３を備えた音響装置１０１の信号処理系の構成を示すブロック図である。なお、第２の実施形態の構造は図１〜図３と同様であり、第１の実施形態と同様の構成については第１の実施形態と同一符号を付す。
【００７６】
第２の実施形態では、クレードル装置１０３に音響処理部１５１が設けられている。音響処理部１５１は、例えば音響信号端子２２を介して入力された音響信号を増幅する増幅器等を含んで構成され、音響信号端子２２を介して入力された音響信号をスピーカー２３に出力する。
【００７７】
音響処理部１５１は、音響信号変更部１４１を備えている。音響信号変更部１４１は、第１の実施形態の音響信号変更部４１と同様に、音響信号を変更するものであり、音響信号端子２２を介して入力された音響信号を変更する。
【００７８】
音響処理部１５１の動作は、クレードル装置１０３に設けられた制御部１５３により制御される。制御部１５３は、制御部３１と同様にＩＣ等により構成され、載置状態検出部２７からの検出信号及び検出端子４０、２８を介して入力される開閉検出部２６からの検出信号に基づいて、音響信号変更部１４１の動作を制御する。その処理手順は、第１の実施形態の図５と同様である。
【００７９】
第２の実施形態によれば、第１の実施形態と同様の効果が得られる。すなわち、携帯電話機２の受話筐体５によりクレードル装置３のスピーカー２３が覆われた場合、クレードル装置３のスピーカー２３に出力する音響信号を、音響信号変更部１４１により、スピーカー２３が覆われていない場合に対して変更することから、スピーカー２３が受話筐体５により覆われていることによる音響の変化を防止できる。
【００８０】
例えば、スピーカー２３から出力される音響の音量又は音圧が増大されるようにすることにより、使用者に伝達される音響の音量又は音圧の低下を防止できる。周波数特性を変更することにより、具体的には、スピーカー２３から出力される高音領域における音響の音量又は音圧が増大されるように周波数特性を変更することにより、音質の変化を防止できる。
【００８１】
また、クレードル装置１０３のスピーカー２３の音響の変化を防止するための構成のほとんどがクレードル装置１０３に設けられていることから、既存の携帯電話機に対する設計変更を少なくできる。
【００８２】
（第３の実施形態）
図７は、本発明の第３の実施形態に係る携帯電話機２０２（２０２′）及びクレードル装置２０３を備えた音響装置２０１（２０１′）を示す一部に透視図を含む側面図である。図７（ａ）は、クレードル装置２０３に携帯電話機２０２を載置した状態を示しており、図７（ｂ）は、図７（ａ）と同一のクレードル装置２０３に、図７（ａ）の携帯電話機２０２とは別の携帯電話機２０２′を載置した場合を示している。また、図８は、クレードル装置２０３の外観斜視図である。
【００８３】
携帯電話機２０２（２０２′）は、いわゆるストレートタイプの携帯電話機として構成されており、一の筐体２０５（２０５′）を備えている。ただし、クレードル装置２０３には、第１及び第２の実施形態のような開閉可能な携帯電話機を載置することも可能である。
【００８４】
携帯電話機２０２の筐体２０５は、クレードル装置２０３に載置されると、後述するスピーカー２２３を覆う大きさを有している。一方、携帯電話機２０２′の筐体２０５′は、携帯電話機２０２の筐体２０５よりも小さく、クレードル装置２０３に載置されても、スピーカー２２３を覆わない。
【００８５】
クレードル装置２０３は、筐体２１８の傾斜面２１８ｃ及び傾斜面２１８ｃの下方に設けられた凸部２１８ｄにより携帯電話機２０２（２０２′）を支持するように構成されている。傾斜面２１８ｃの上方にはスピーカー（外部スピーカー）２２３が設けられ、スピーカー２２３の不図示の放音孔が開口している。
【００８６】
傾斜面２１８ｃのスピーカー２２３の配置位置の隣接位置、例えば、スピーカー２２３の配置位置の側方には、携帯電話機がクレードル装置３に載置されたか否かを検出するための載置状態検出部２２７が設けられている。載置状態検出部２２７は、例えば、第１の実施形態の載置状態検出部２７と同様の構成であり、押圧されるとオン信号を出力する押圧スイッチ、あるいは反射物が近接配置されるとオン信号を出力する光センサにより構成されている。
【００８７】
第３の実施形態においても第１及び第２の実施形態と同様に、携帯電話機２０２（２０２′）又はクレードル装置２０３に、音響信号変更部が設けられている。そして、携帯電話機２０２（２０２′）又はクレードル装置２０３に設けられた制御部は、図５のステップＳ１及びＳ３を実行し、載置状態検出部２２７によりオン信号が出力されると、携帯電話機２０２の筐体がスピーカー２２３の音響出力領域に位置していると判定され、スピーカー２２３に出力する音響信号を変更する。
【００８８】
従って、携帯電話機２０２がクレードル装置３に載置されると、携帯電話機２０２の筐体によりスピーカー２２３が覆われてしまうが、載置状態検出部２２７によりオン信号が出力され、スピーカー２２３から出力される音響は、オン信号が出力されない場合に対して変更される。一方、携帯電話機２０２′がクレードル装置３に載置されると、載置状態検出部２２７によりオフ信号が出力され、スピーカー２２３から出力される音響は変更されない。
【００８９】
第３の実施形態によれば、第１の実施形態と同様の効果が得られる。すなわち、携帯電話機２０２の筐体２０５によりクレードル装置２０３のスピーカー２２３が覆われた場合、クレードル装置２０３のスピーカー２２３に出力する音響信号を、スピーカー２２３が覆われていない場合（携帯電話機２０２′が載置された場合）に対して変更することから、スピーカー２２３が携帯電話機２０２により覆われていることによる音響の変化を防止できる。
【００９０】
また、第３の実施形態では、携帯電話機の大きさ、開閉可能か否かに関らず、スピーカー２２３が携帯電話機により覆われているか否かを判定することから、クレードル装置２０３の汎用性が高く、例えば使用者が携帯電話機を機種変更した場合にも対応できる。
【００９１】
本発明は以上の実施形態に限定されず、種々の態様で実施してよい。
【００９２】
音響信号変更手段、開閉検出手段、配置状態検出手段、載置状態検出手段、筐体位置判定手段、載置状態判定手段は、携帯端末装置及びクレードル装置のいずれに設けられてもよいし、双方に設けられてもよいし、双方に設けられた手段が組み合わされて構成されてもよい。
【００９３】
外部スピーカーの音響出力領域は、外部スピーカーの指向性、電子機器をクレードル装置に配置して使用する場合において想定される使用者とクレードル装置との位置関係や外部スピーカーの音量や音圧、使用者が認識可能な音響の変化等の種々の条件に応じて適宜に定義可能である。例えば、外部スピーカーの放音面の一部又は全部に電子機器が当該放音面に対向する方向に重なって配置されている場合を外部スピーカーの音響出力領域に電子機器が配置されている場合と定義してもよい。
【００９４】
音響信号の変更は、外部スピーカーに出力する音響信号及び内部スピーカーに出力する音響信号のうち、少なくとも一方の音響信号を変更できればよい。また、音量又は音圧が増大されるような音響信号の変更には、音響が出力されない状態から出力される状態になるような変更も含まれる。例えば、携帯端末装置が音響出力領域に位置しないときは内部スピーカーから音響を出力せず、携帯端末装置が音響出力領域に位置するときは内部スピーカーから音響を出力するようにしてもよい。
【００９５】
音響信号の変更は、変更前と変更後の２段階の変更でもよいし、複数段階の変更でもよいし、アナログ的な変更でもよい。例えば、第１の実施形態では、携帯電話機の開閉度合いにより外部スピーカーから出力された音響の変化は異なるから、開閉検出部の検出する開閉度合いに応じて、音響信号を複数段階であるいはアナログ的に、適宜に変更してもよい。
【００９６】
開閉可能な電子機器は、少なくとも２つの筐体の互いに重なる面積が変化するものであればよく、折り畳み式のものに限定されない。例えば、２つの筐体が互いに平行移動するスライド式のものでもよいし、２つの筐体が互いの積層方向を回転軸方向として回転しつつスライドするリボルバー式のものでもよい。
【００９７】
音響信号変更手段による音響信号の変更は、各種スイッチやセンサ等の出力に基づいて、所定の変更条件（例えば、電子機器が外部スピーカーの音響出力領域に位置すること）が満たされか否かを判定し、変更条件が満たされたと判定した場合に変更するようにしてもよいし、電子機器がクレードル装置に載置されたときに、電子機器の自重によりフィルタをオンオフする押圧スイッチがオンされて音響信号を変更する等、判定処理を行わずに、機械的に音響信号を変更するようにしてもよい。
【００９８】
判定する場合、変更条件は適宜に設定してよく、例えば、第１及び第２の実施形態のように２以上の検出手段によりオン信号が出力されたことを条件としてもよいし、第３の実施形態のように一の検出手段によりオン信号が出力されたことを条件としてもよいし、さらに、音響信号が特定の種類である場合に変更する（例えば、出力される音が映画再生の音響のみであり、報知音を含まない場合において変更する）等の他の条件を付加してもよい。
【００９９】
また、筐体の開閉状態を検出して、開状態のときに音響信号を変更するように構成されているが、筐体が、クレードル装置のスピーカーから出力される音響に影響を与えるような領域（音響出力領域）に位置する状態を検出して、この状態のときに音響信号を変更するように構成してもよい。
【図面の簡単な説明】
【０１００】
【図１】本発明の第１の実施形態に係る携帯電話機及びクレードル装置を示す一部に透視図を含む正面図。
【図２】図１の携帯電話機をクレードル装置に載置した状態を示す一部に透視図を含む正面図。
【図３】図１の携帯電話機をクレードル装置に載置した状態を示す一部に透視図を含む側面図。
【図４】図１の携帯電話機及びクレードル装置の信号処理系の構成を示すブロック図。
【図５】図４の制御部が音響信号変更手段を制御するために実行する処理の手順を示すフローチャート。
【図６】本発明の第２の実施形態に係る携帯電話機及びクレードル装置の信号処理系の構成を示すブロック図。
【図７】本発明の第３の実施形態に係る携帯電話機及びクレードル装置を示す一部に透視図を含む側面図。
【図８】図７のクレードル装置の斜視図。
【符号の説明】
【０１０１】
２…携帯端末装置、３…クレードル装置、５…受話筐体、６…送話筐体、２２…音響信号端子（入力部）、２３…スピーカー（外部スピーカー）、３３…音響処理部（音響出力手段）、４１…音響信号変更部。
【図１】
0004699174.tif 000002
【図２】
0004699174.tif 000003
【図３】
0004699174.tif 000004
【図４】
0004699174.tif 000005
【図５】
0004699174.tif 000006
【図６】
0004699174.tif 000007
【図７】
0004699174.tif 000008
【図８】
0004699174.tif 000009